(57)【要約】【課題】  口腔内側の内面に係合部が形成されているスクリュー型インプラントフィクスチャーを顎骨に埋入する際にスクリュー型インプラントフィクスチャーの係合部内に先端に設けられた挿入係合部が確実に挿入係合されているか否かを容易に確認することができるフィクスチャー埋入用インスツルメントを提供する。【解決手段】  口腔内側の内面に係合部1aが形成されている歯科用スクリュー型インプラントフィクスチャー１を顎骨に埋入するために係合部1a内に挿入係合される挿入係合部2aが先端に設けられたフィクスチャー埋入用インスツルメント２の挿入係合部2aの係合部1a内に挿入係合される部分を色調及び／又は模様で隣接する他の部位と区分けする。その色調及び／又は模様は、有色の窒化物，炭化物又は硼化物のコーティングや、サンドブラスト処理面又はエッチング処理面や、それらの組合せであることが好ましい。【選択図】        図５
2006130056.tif 000002
【特許請求の範囲】
【請求項１】
口腔内側の内面に係合部(1a)が形成されている歯科用スクリュー型インプラントフィクスチャー(１)を顎骨に埋入するために該係合部(1a)内に挿入係合される挿入係合部(2a)が先端に設けられたフィクスチャー埋入用インスツルメントにおいて、該挿入係合部(2a)の該係合部(1a)内に挿入係合される部分が色調及び／又は模様で隣接する他の部位と区分けされていることを特徴とするフィクスチャー埋入用インスツルメント(２)。
【請求項２】
色調及び／又は模様が有色の窒化物，炭化物又は硼化物のコーティングである請求項１に記載フィクスチャー埋入用インスツルメント(２)。
【請求項３】
色調及び／又は模様がサンドブラスト処理面又はエッチング処理面である請求項１又は２に記載のフィクスチャー埋入用インスツルメント(２)。
【発明の詳細な説明】
【技術分野】
【０００１】
本発明は、歯科インプラント治療に用いられるスクリュー型インプラントフィクスチャーを顎骨に埋入するために使用するフィクスチャー埋入用インスツルメントに関するものであり、より詳しくは口腔内側の内面に係合部が形成されているスクリュー型インプラントフィクスチャーを顎骨に埋入する際にスクリュー型インプラントフィクスチャーの係合部内に先端に設けられた挿入係合部が確実に挿入係合されているか否かを容易に確認することができるフィクスチャー埋入用インスツルメントに関するものである。
【背景技術】
【０００２】
従来の歯科インプラント治療において顎骨にネジを切りながら埋入される外側面にオネジが螺設されているスクリュー型インプラントフィクスチャーは、その口腔内側に補綴物の支台となる歯肉を貫通して配設されるアバットメントを回転しないように係合させるために正六角形状等の突起部が形成されており、アバットメントはその顎骨側にスクリュー型インプラントフィクスチャーの突起部に係合する正六角形状等の凹部が形成されたものが主として利用されてきた。
【０００３】
しかしながら、このようなスクリュー型インプラントフィクスチャーとアバットメントとを使用すると、アバットメントはその顎骨側にスクリュー型インプラントフィクスチャーの口腔内側に形成されている突起部に係合する正六角形状等の凹部が形成されたものでなければばらないため、顎間距離が長く取れないような症例や歯肉が薄い部位での審美的な修復が求められる症例などの場合に、アバットメントの高径を低くすると必然的にアバットメントの顎骨側に形成された正六角形状等の凹部の深さが浅くなって当該アバットメントの強度を損なう結果となり、長期間に亘って咬合力に耐え得る補綴物を作製することができない場合があった。
【０００４】
そこで、スクリュー型インプラントフィクスチャーの口腔内側の内面に正六角形状等の凹部や円形の凹部の周囲に半円状等の係合用凹条溝を形成した形状等の係合部を形成すると共に、アバットメントの顎骨側には前記係合部に挿入係合される挿入用係合部を突設形成したインプラント装置が提案されている（例えば、特許文献１，特許文献２参照。）。
【０００５】
このようなスクリュー型インプラントフィクスチャーとアバットメントとから成るインプラント装置を使用すれば、スクリュー型インプラントフィクスチャーの口腔内側の内面に形成される係合部の深さとアバットメントの顎骨側に突設された挿入用係合部の長さとを長くすることによりスクリュー型インプラントフィクスチャーとアバットメントとの充分な係合強度を維持したままアバットメントの高径を低くすることはできるが、スクリュー型インプラントフィクスチャーを顎骨に埋入する際には、スクリュー型インプラントフィクスチャーの口腔内側の内面に形成されている係合部に係合するようにアバットメントの顎骨側に突設された挿入用係合部と略同形状の挿入係合部を先端部に形成したフィクスチャー埋入用インスツルメントの挿入係合部をスクリュー型インプラントフィクスチャーの口腔内側の内面に形成されている係合部に挿入係合させてスクリュー型インプラントフィクスチャーを回転させて顎骨にメネジを螺設しながら埋入するため、フィクスチャー埋入用インスツルメントの挿入係合部がスクリュー型インプラントフィクスチャーの口腔内側の内面に形成されている係合部に確実に挿入係合されていないと、顎骨への埋入時の過大トルクなどによってスクリュー型インプラントフィクスチャーの口腔内側の内面に形成されていた係合部が変形或いは破損してしまう現象が発生してしまい、アバットメントをスクリュー型インプラントフィクスチャーの口腔内側の内面に形成されている係合部に係合させることができなかったり、係合させることができたとしてもアバットメントのスクリュー型インプラントフィクスチャーへの係合精度が損なわれて、結果として適合精度の不充分な補綴物を使用せざるを得ない状態となり、短期にスクリュー型インプラントフィクスチャーの骨吸収を来たし歯科インプラント治療に失敗する例が見られた。
【０００６】
【特許文献１】特開昭６３−１７４６４８号公報
【特許文献２】米国特許第４,９６０,３８１号明細書
【０００７】
このような現象の発生を防止するために、フィクスチャー埋入用インスツルメントの挿入係合部がスクリュー型インプラントフィクスチャーの口腔内側の内面に形成されている係合部に確実に挿入係合されていることを確認できるように、フィクスチャー埋入用インスツルメントの挿入係合部の所定位置にレーザーマーク等の線状のマークを描画したフィクスチャー埋入用インスツルメントも存在するが、この線状のマークは口腔外では簡単に認識できるとしても、暗く血液が混在する口腔内で視認することは容易ではなかった。
【発明の開示】
【発明が解決しようとする課題】
【０００８】
本発明は、前述したようなスクリュー型インプラントフィクスチャーを顎骨に埋入する際にフィクスチャー埋入用インスツルメントの挿入係合部がスクリュー型インプラントフィクスチャーの口腔内側の内面に形成されている係合部に確実に挿入係合されていないことによりスクリュー型インプラントフィクスチャーの口腔内側の内面に形成されていた係合部が変形或いは破損してしまう現象が発生しないように、フィクスチャー埋入用インスツルメントの挿入係合部がスクリュー型インプラントフィクスチャーの口腔内側の内面に形成されている係合部に確実に挿入係合されていることを容易且つ確実に確認することができるフィクスチャー埋入用インスツルメントを提供することを課題とする。
【課題を解決するための手段】
【０００９】
本発明者らは前記課題を解決すべく鋭意研究の結果、存在していた筈の色調及び／又は模様が消失するという変化が人の視認性を高めることを応用すれば、即ち口腔内側の内面に係合部が形成されている歯科用スクリュー型インプラントフィクスチャーを顎骨に埋入するために歯科用スクリュー型インプラントフィクスチャーの係合部内に挿入係合されるフィクスチャー埋入用インスツルメントの挿入係合部の係合部内に挿入係合される部分を色調及び／又は模様で隣接する他の部位と区分けしておけば、スクリュー型インプラントフィクスチャーの口腔内側の内面に形成されている係合部にフィクスチャー埋入用インスツルメントの先端に設けられた挿入係合部を確実に挿入係合すると、挿入係合部の色調及び／又は模様の境界が歯科用スクリュー型インプラントフィクスチャーの口腔内側端部に一致しているため挿入係合部の色調及び／又は模様が見えなくなることによって、スクリュー型インプラントフィクスチャーの口腔内側の内面に形成されている係合部にフィクスチャー埋入用インスツルメントの先端に設けられた挿入係合部が確実に挿入係合されたことを容易且つ確実に確認できることを究明して本発明を完成したのである。
【００１０】
即ち本発明は、口腔内側の内面に係合部が形成されている歯科用スクリュー型インプラントフィクスチャーを顎骨に埋入するために該係合部内に挿入係合される挿入係合部が先端に設けられたフィクスチャー埋入用インスツルメントにおいて、該挿入係合部の該係合部内に挿入係合される部分が色調及び／又は模様で隣接する他の部位と区分けされていることを特徴とするフィクスチャー埋入用インスツルメントである。
【００１１】
そして挿入係合部の係合部内に挿入係合される部分を隣接する他の部位と区分けする色調及び／又は模様が有色の窒化物，炭化物又は硼化物のコーティングであったり、サンドブラスト処理面又はエッチング処理面であったり、またその組合せであったりすれば、フィクスチャー埋入用インスツルメントの使用を繰り返してもその色調及び／又は模様が消滅せずに長期間の使用に耐えて好ましいことも究明したのである。
【発明の効果】
【００１２】
本発明に係るフィクスチャー埋入用インスツルメントは、口腔内側の内面に係合部が形成されている歯科用スクリュー型インプラントフィクスチャーを顎骨に埋入するために係合部内に挿入係合される挿入係合部の係合部内に挿入係合される部分が色調及び／又は模様で隣接する他の部位と区分けされているので、スクリュー型インプラントフィクスチャーの口腔内側の内面に形成されている係合部にフィクスチャー埋入用インスツルメントの先端に設けられた挿入係合部が確実に挿入係合されると、挿入係合部の色調及び／又は模様の境界が歯科用スクリュー型インプラントフィクスチャーの口腔内側端部に一致しているため挿入係合部の色調及び／又は模様が見えなくなることによって、スクリュー型インプラントフィクスチャーの口腔内側の内面に形成されている係合部にフィクスチャー埋入用インスツルメントの先端に設けられた挿入係合部が確実に挿入係合されたことを容易且つ確実に確認できるため、フィクスチャー埋入用インスツルメントの先端に設けられた挿入係合部がスクリュー型インプラントフィクスチャーの口腔内側の内面に形成されている係合部に例えば浅くしか挿入係合されていなかったり斜めに挿入係合されていたりするように不完全に挿入係合された状態で歯科用スクリュー型インプラントフィクスチャーを顎骨に埋入する作業が行われることを防止できるから、歯科インプラント治療を安全且つ確実に実施できるのである。
【発明を実施するための最良の形態】
【００１３】
以下、図面により本発明に係るフィクスチャー埋入用インスツルメントについて詳細に説明する。
図１は本発明に係るフィクスチャー埋入用インスツルメントの１実施例の正面図、図２は図１の底面図、図３は図１の本発明に係るフィクスチャー埋入用インスツルメントにより顎骨に埋入される歯科用スクリュー型インプラントフィクスチャーの１例の縦断面説明図、図４は図３の平面図、図５は図３の歯科用スクリュー型インプラントフィクスチャーの係合部に図１のフィクスチャー埋入用インスツルメントの挿入係合部が確実に挿入係合された状態を歯科用スクリュー型インプラントフィクスチャーのみを断面で示した部分拡大説明図、図６は本発明に係るフィクスチャー埋入用インスツルメントの他の実施例の正面図、図７は図６の底面図、図８は図６の本発明に係るフィクスチャー埋入用インスツルメントにより顎骨に埋入される歯科用スクリュー型インプラントフィクスチャーの１例の縦断面説明図、図９は図８の平面図、図１０は図８の歯科用スクリュー型インプラントフィクスチャーの係合部に図６のフィクスチャー埋入用インスツルメントの挿入係合部が確実に挿入係合された状態を歯科用スクリュー型インプラントフィクスチャーのみを断面で示した部分拡大説明図である。
【００１４】
図面中、１は顎骨に埋入される歯科用スクリュー型インプラントフィクスチャーであり、従来の歯科用インプラントフィクスチャーと同様に、生体不活性と強度とを備え且つ骨と良好に結合するチタン金属製であり、口腔内側に連結固定されるアバットメント（図示せず）との相互の回転を防止するためアバットメントの顎骨側に突設された挿入用係合部が挿入係合される挿入係合部1aが口腔内側の内面に形成されており、また軸方向にこの挿入係合部1aが形成されている部位よりも更に顎骨側に至るアバットメント連結固定用スクリュー（図示せず）が螺着されるメネジ部1bが設けられており、口腔内側の外周には口腔内側端部から円筒カラー部1cと先端が先細りのセルフタッピング式オネジ部1dとこのセルフタッピング式オネジ部1dの先端側外周面に顎骨を切削する２つ以上の切り刃部1eとこの切り刃部1fに続く溝部1fとが設けられている。このアバットメントの顎骨側に突設された挿入用係合部が挿入係合される挿入係合部1aは、図３及び図４に示すような円形の凹部の周囲に半円状等の係合用凹条溝を形成した形状や図８及び図９に示すような正六角形状等の凹部などが好ましい。
【００１５】
２は歯科用スクリュー型インプラントフィクスチャー１を顎骨に穿設された埋入孔内にネジを切りながら埋入させるための本発明に係るフィクスチャー埋入用インスツルメントであり、歯科用スクリュー型インプラントフィクスチャー１の口腔内側の内面に形成されている係合部1aに挿入係合される挿入係合部2aが先端に形成されており、この挿入係合部2aの歯科用スクリュー型インプラントフィクスチャー１の係合部1a内に挿入係合される部分が色調及び／又は模様で隣接する他の部位と区分けされている。
【００１６】
この挿入係合部2aの歯科用スクリュー型インプラントフィクスチャー１の係合部1a内に挿入係合される部分を隣接する他の部位と区分けする色調及び／又は模様としては、有色の窒化物，炭化物又は硼化物のコーティングであったり、サンドブラスト処理面又はエッチング処理面であったり、またその組合せであったりすれば、フィクスチャー埋入用インスツルメント２の使用を繰り返してもその色調及び／又は模様が消滅せずに長期間の使用に耐えて好ましい。
【００１７】
本発明に係るフィクスチャー埋入用インスツルメント２を使用して歯科インプラント治療を行うには、先ず患者の欠損歯部の顎骨に埋入孔を穿設し、歯科用スクリュー型インプラントフィクスチャー１の口腔内側の内面に形成されている係合部1aにフィクスチャー埋入用インスツルメント２の先端に形成されている挿入係合部2aを挿入係合させて隣接する他の部位と区分けする色調及び／又は模様が完全に見えなくなった状態として、フィクスチャー埋入用インスツルメント２を介して歯科用スクリュー型インプラントフィクスチャー１をその先端側から埋入孔内に回転させて切り刃部1eで顎骨を切削すると共に先細りのセルフタッピング式オネジ部1dでネジを切りながら所定深さまで顎骨内に埋入させるのである。
【００１８】
このように、本発明に係るフィクスチャー埋入用インスツルメント２を使用して歯科用スクリュー型インプラントフィクスチャー１を顎骨内に埋入させる作業を、フィクスチャー埋入用インスツルメント２の挿入係合部2aが歯科用スクリュー型インプラントフィクスチャー１の係合部1a内に確実に挿入係合された状態を確認して行うことができるので、フィクスチャー埋入用インスツルメント２の先端に設けられた挿入係合部2aがスクリュー型インプラントフィクスチャー１の口腔内側の内面に形成されている係合部1aに例えば浅くしか挿入係合されていなかったり斜めに挿入係合されていたりするように不完全に挿入係合された状態で歯科用スクリュー型インプラントフィクスチャー１を顎骨に埋入する作業が行われることを防止できるから、歯科用スクリュー型インプラントフィクスチャー１の係合部1aに変形或いは破損を生ぜしめることなく歯科インプラント治療を安全且つ確実に実施できるのである。
【００１９】
しかる後、スクリュー型インプラントフィクスチャー１の口腔内側にアバットメントを回転しないように挿入係合させた後は、通常の歯科インプラント治療の手順に従って補綴物をアバットメントの口腔内側に固定すればよいのである。
【図面の簡単な説明】
【００２０】
【図１】本発明に係るフィクスチャー埋入用インスツルメントの１実施例の正面図である。
【図２】図１の底面図である。
【図３】図１の本発明に係るフィクスチャー埋入用インスツルメントにより顎骨に埋入される歯科用スクリュー型インプラントフィクスチャーの１例の縦断面説明図である。
【図４】図３の平面図である。
【図５】図３の歯科用スクリュー型インプラントフィクスチャーの係合部に図１のフィクスチャー埋入用インスツルメントの挿入係合部が確実に挿入係合された状態を歯科用スクリュー型インプラントフィクスチャーのみを断面で示した部分拡大説明図である。
【図６】本発明に係るフィクスチャー埋入用インスツルメントの他の実施例の正面図である。
【図７】図６の底面図である。
【図８】図６の本発明に係るフィクスチャー埋入用インスツルメントにより顎骨に埋入される歯科用スクリュー型インプラントフィクスチャーの１例の縦断面説明図である。
【図９】図８の平面図である。
【図１０】図８の歯科用スクリュー型インプラントフィクスチャーの係合部に図６のフィクスチャー埋入用インスツルメントの挿入係合部が確実に挿入係合された状態を歯科用スクリュー型インプラントフィクスチャーのみを断面で示した部分拡大説明図である。
【符号の説明】
【００２１】
１  歯科用スクリュー型インプラントフィクスチャー
1a  係合部
1b  メネジ部
1c  円筒カラー部
1d  セルフタッピング式オネジ部
1e  切り刃部
1f  溝部
２  本発明に係るフィクスチャー埋入用インスツルメント
2a  挿入係合部
【図１】
2006130056.tif 000003
【図２】
2006130056.tif 000004
【図３】
2006130056.tif 000005
【図４】
2006130056.tif 000006
【図５】
2006130056.tif 000007
【図６】
2006130056.tif 000008
【図７】
2006130056.tif 000009
【図８】
2006130056.tif 000010
【図９】
2006130056.tif 000011
【図１０】
2006130056.tif 000012